(57)【要約】着用者がメガネを着用した時、メガネフレームの鼻あてが鼻面に触れないように支持して、メガネの鼻パッドによる鼻面の肌が押されることを減少させることができるメガネのテンプル支持具が開示される。本発明によるメガネテンプル支持具は、着用者の頭皮と耳殻の境界を成す上部谷にかけられる三日月形状の本体部と、前記本体部の外側面に一体型に突出して形成される固定用突起と、前記本体部の上面部に形成されるメガネのテンプル挿入用溝とで構成される。【選択図】図２
2016503907.tif 000002
【特許請求の範囲】
【請求項１】
着用者の頭皮と耳殻の境界を成す上部谷にかけられる三日月形状の本体部（１００）と、
前記本体部（１００）の外側面に一体型に突出して形成された固定用突起（１３０）と、
前記本体部（１００）の上面部に形成されたメガネのテンプル挿入用溝（１２０）と、を含むことを特徴とするメガネのテンプル支持具。
【請求項２】
前記本体部（１００）の上面部に形成された挿入用溝（１２０）は、直線溝（１２０）、「Ｓ」字溝（１２０ａ）、ジグザグ溝（１２０ｂ）の中で選択されることを特徴とする請求項１に記載のメガネのテンプル支持具。
【請求項３】
前記本体部（１００）の外側面に形成された前記固定用突起（１３０）は始め部分の直径が中心部の直径より相対的に小さく形成された「Ω」の形状であることを特徴とする請求項１に記載のメガネのテンプル支持具。
【請求項４】
前記本体部（１００）の内側面及び／または底面には前記着用者の頭皮への押さえを防止し、空気が流通できるようにするための複数の突起（１１１、１１３）が突出して形成されることを特徴とする請求項１に記載のメガネのテンプル支持具。
【請求項５】
前記本体部（１００）の下端部（１１０ｃ）は中間部（１１０ｂ）に比べて相対的に細く形成され、前記下端末端部にアクセサリー挿入用孔（１５０）が貫通して形成されていることを特徴とする請求項１に記載のメガネのテンプル支持具。
【請求項６】
前記本体部（１００）の上端末端部には前記本体部（１００）が前記上部谷に位置した耳殻にかけられるようにフック形状の湾曲部（１４０）が形成されていることを特徴とする請求項１に記載のメガネのテンプル支持具。
【請求項７】
着用者の頭皮と耳殻の境界を成す谷部の中で上部谷にかけられる一対の三日月形状の本体部（１１０）と、
前記それぞれの本体部（１１０）の上面部にそれぞれ形成された一対の貫通溝（１２０）と、を含むことを特徴とするメガネのテンプル支持具。
【請求項８】
着用者の頭皮と耳殻の境界を成す谷部の中で上部谷にかけられる一対の三日月形状の本体部（２１０）と、
前記着用者の耳殻に触れる前記本体部（２１０）の外側面に一体型に突出して形成された固定用突起（２３０）と、
前記本体部（２１０）の内部に長手方向に形成された直線形の貫通溝（２２０）と、
前記貫通溝（２２０）の上端部に対応する前記本体部（２１０）に形成された切開線（２４０）と、を含むことを特徴とするメガネのテンプル支持具。
【請求項９】
前記一対の本体部（２１０）の内側面及び／または底面には前記着用者の頭皮への押さえを防止し、空気が流通できるようにするための複数の突起が形成されていることを特徴とする請求項８に記載のメガネのテンプル支持具。
【請求項１０】
前記一対の本体部（２１０）の上端末端部には前記本体部（２１０）が前記上部谷に位置した耳殻にかけられるようにフック形状の湾曲部（２６０）が形成されていることを特徴とする請求項８に記載のメガネのテンプル支持具。
【発明の詳細な説明】
【技術分野】
【０００１】
本発明はメガネのテンプル支持具に関するもので、より詳しくは、着用者がメガネを着用した時、メガネの鼻パッドによる鼻面肌が押されることを減少することができるメガネのテンプル支持具に関するものである。
【背景技術】
【０００２】
一般に、メガネはメガネのフレームとメガネのフレームにヒンジで結合された一対のメガネのテンプルとで構成され、メガネのフレームには一対のレンズが備えられ、メガネのフレームの中央には鼻あて（鼻パッド）が付着される。
【０００３】
このように構成された従来のメガネを着用する場合、メガネのフレーム及びメガネ玉の重量で鼻あてが鼻面の肌に長期間密着され、鼻の表面に出た汗が空気不通で停滞されて、鼻の表面肌の損傷及び肌の壊死を引き起こす原因を提供した。
【０００４】
また、メガネの重さによって鼻が長期間押される場合、着用者の顔が変形されることがあり、特に鼻を手術した患者はメガネを着用することができない問題点があった。
【発明の概要】
【発明が解決しようとする課題】
【０００５】
本発明は以上で説明した従来技術の問題点を解消するために案出したもので、本発明の目的は、着用者がメガネを着用した時、メガネのフレームの鼻あてが鼻面に触れないように支持して、メガネの鼻パッドによる鼻面の肌が押されることを減少することができるメガネのテンプル支持具を提供することである。
【０００６】
本発明の他の目的は、特殊目的用のメガネによってメガネの重さが相対的に重くても、着用者がメガネを着用した時、メガネの鼻パッドが鼻面の肌に触れないように所定間隔離隔させることができるメガネのテンプル支持具を提供することである。
本発明のまた他の目的は、メガネのテンプルの厚さ及び形状に関係なく用いることができるメガネのテンプル支持具を提供することである。
本発明のさらなる目的は、着用者がイヤリングのようなアクセサリーを容易に着脱することができるメガネのテンプル支持具を提供することである。
【課題を解決するための手段】
【０００７】
上記の目的を達するために、本発明によるメガネのテンプル支持具は、着用者の頭皮と耳殻の境界を成す上部谷にかけられる三日月形状の本体部１００と、上記本体部１００の外側面に一体型に突出して形成される固定用突起１３０と、上記本体部１００の上面部に形成されたメガネのテンプル挿入用溝１２０とを含むことを特徴とする。
【０００８】
また、本発明の他の目的を達するためのメガネのテンプル支持具は、着用者の頭皮と耳殻の境界を成す谷部の中で上部谷にかけられる一対の三日月形状の本体部２１０と、上記それぞれの本体部２１０の上面部にそれぞれ形成される一対の貫通溝２２０とを含むことを特徴とする。
【０００９】
また、本発明の他の目的を達するためのメガネのテンプル支持具は、着用者の頭皮と耳殻の境界を成す谷部の中で上部谷にかけられる一対の三日月形状の本体部２１０と、上記着用者の耳殻と触れる上記本体部２１０の外側面に一体型に突出して形成される固定用突起２３０と、上記本体部２１０の内部に長手方向に形成された直線状の貫通溝２２０と、該貫通溝２２０の上端部に対応する上記本体部２１０に形成された切開線２４０とを含むことを特徴とする。
【発明の効果】
【００１０】
以上で説明した本発明によるメガネのテンプル支持具は次のような長所を有する。
着用者がメガネを着用した時、メガネのフレームの鼻あてが鼻面に触れないように支持されて、メガネの鼻パッドによる鼻面の肌が押されることを減少させるとともに、国防、探査など特殊目的用メガネによってメガネの重さが相対的に重くても、着用者がメガネを着用した時、メガネの鼻パッドが鼻面の肌に触れないように所定間隔離隔させることができる。従って、メガネの重さと長期間の着用によって発生するメガネ着用者の顔の変形も予防することができる。
また、メガネのテンプルの厚さ及び形状に関係なく用いることができ、また着用者がイヤリングのようなアクセサリーを容易に着脱することができる。従って、全ての種類のメガネに使用可能であり、着用者が多様なアクセサリーを利用してファッション感を現わすことができる。
【図面の簡単な説明】
【００１１】
【図１】本発明の第一実施例によるメガネのテンプル支持具の平面図である。
【図２】本発明の第一実施例によるメガネのテンプル支持具の側面図である。
【図３】本発明の第一実施例によるメガネのテンプル支持具の断面図である。
【図４】本発明の第一実施例によるメガネのテンプル支持具の平面図である。
【図５】図１〜図３に示された本発明の第一実施例によるメガネのテンプル支持具におけるメガネのテンプル挿入用溝の他の例を示す平面図で、（a）はその一例を示す図、（b）はさらに他の例を示す図である。
【図６】本発明の第一実施例によるメガネのテンプル支持具の着用例を示した図面である。
【図７】本発明の第二実施例によるメガネのテンプル支持具の平面図である。
【図８】本発明の第二実施例によるメガネのテンプル支持具の側面図である。
【図９】本発明の第二実施例によるメガネのテンプル支持具の斜視図である。
【図１０】本発明の第二実施例によるメガネのテンプル支持具の斜視図である。
【図１１】図７〜図９に示された本発明の第二実施例によるメガネのテンプル支持具における切開線の形状を示す平面図で、（a）はその一例を示す図、（b）は他の例を示す図である。
【発明を実施するための形態】
【００１２】
本明細書及び特許請求の範囲で用いる用語や単語は、通常的または辞書的意味に限定して解釈されるのではなく、発明者は自分の発明を最善の方法で説明するために用語の概念を適切に定義することができると言う原則に即して、本発明の技術的思想に符合する意味と概念で解釈すべきである。
【００１３】
また、本明細書に記載された実施例と図面に示した構成は、本発明の好ましい実施例に過ぎなく、本発明の技術的思想を代弁することではない。従って、本出願の時点においてこれらを代替することができる多様な均等物と変形例があり得ることを理解すべきである。
【００１４】
以下、本発明の第一実施例によるメガネのテンプル支持具の構成と作用を添付した図１〜図６を参照して詳しく説明する。
【００１５】
＜第一実施例＞  
図１及び図３は本発明の第一実施例によるメガネのテンプル支持具の平面図、図２は本発明の第一実施例によるメガネのテンプル支持具の側面図、図３は本発明の第一実施例によるメガネのテンプル支持具の断面図である。
【００１６】
図１〜図３によれば、本発明の第一実施例によるメガネのテンプル支持具は、着用者の頭皮と耳殻の境界を成す上部谷にかけられる三日月形状の本体部１００と、本体部１００の外側面に一体型に突出して形成される固定用突起１３０と、本体部１００の上面部で所定深さで形成されるメガネのテンプル挿入用溝１２０とで構成される。
【００１７】
本発明の第一実施例で、本体部１００の上面部に形成されたテンプル挿入溝１２０は直線状に形成されたが、図５（ａ）〜（ｂ）に示すように、「Ｓ」字状の溝１２０ａまたはジグザグ溝１２０ｂとして形成されてもよい。
【００１８】
また、本体部１００の外側面に形成された固定用突起１３０は着用者の耳の後ろ部分に形成された溝形状に合わせて位置するために、始め部分の直径が中心部の直径より相対的に小さく形成された「Ω」形状であることが好ましい。
【００１９】
また、本体部１００の内側面または底面、または内側面と底面に着用者の頭皮への押さえを防止し、空気が流通できるようにするための複数の突起１１１、１１３が突出して形成されることもできる。本発明の好ましい実施例では、複数の突起１１１、１１３が半球形であるが、形状は必要によって多様な模様で形成されることができ、突起１１１、１１３の数及び配置も多様に変形可能である。
【００２０】
また、本体部１００の下端部１１０ｃは中間部１１０ｂに比べて相対的に細く形成され、下端末端部にアクセサリー挿入用孔１５０が貫通して形成されることができる。これによって、着用者がイヤリングのようなアクセサリーをアクセサリー挿入用孔１５０に挿入及び固定することができて、着用者のファッション感を現わすことができ、耳に穴をあけなくてもアクセサリーを着用することができて、耳の穴をあけることによる副作用を予防することができる。
【００２１】
また、本体部１００の直径は上端部１１０ａから中間部１１０ｂに行くほど相対的に大きくなりながら、本体部の上端部１１０ａに等倍区間Ｄが所定長さで形成される。ここで、本体部１００の上面部に形成された挿入用溝１２０はメガネのテンプルの外皮が除去された「ピンタイプ」のメガネのテンプルを使うのに適合し、本体部１００の上端部１１０ａに形成された等倍区間Ｄに「ピンタイプ」のメガネのテンプルが挿入及びかけられるように形成される。
【００２２】
また、本体部１００の上端末端部には本体部１００が上部谷に位置した耳殻にかけられるようにフック形状の湾曲部１４０が形成されることが好ましい。
【００２３】
また、着用者の人体構造に合わせるように本体部１００の上端部１１０ａから下端部１１０ｂまで垂直中心線Ｃを基準に、本体部１００は左右非対称形状に形成されることが好ましい。即ち、顔を向ける側面がより広い面積を有するように形成されることができる。
【００２４】
以上で説明した本発明の第一実施例は、一つのメガネのテンプル支持具に適用される場合を中心に説明したが、一対のメガネのテンプル支持具にも等しく適用されるであろう。
【００２５】
この場合、メガネのテンプル支持具は、着用者の頭皮と耳殻の境界を成す谷部の中で上部谷にかけられる一対の三日月形状の本体部１１０と、それぞれの本体部１１０の上面部にそれぞれ形成される一対のメガネのテンプル挿入用溝１２０とで構成されることが好ましい。ここで、一対のメガネのテンプル支持具を用いて、着用者の頭皮への押さえが不便でない場合は、複数の突起１１１、１１３を形成しなくても良い。
【００２６】
以下で、添付された図１〜図６を参照してメガネのテンプル支持具の使用動作を説明する。
まず、図１に示すように、着用者はメガネのテンプルをメガネのテンプル挿入用溝１２０に挿入する。
次に、着用者の耳の後ろ部分に形成された溝形状に合わせて固定用突起１３０を位置させ、湾曲部１４０を着用者の上部谷に位置した耳殻にかかるように位置させる。
【００２７】
それにより、図６に示すように、着用者が着用したメガネのテンプルが一対のメガネのテンプル挿入用溝１２０にそれぞれ挿入及び安定的にかけられて、結局従来の場合とは相異してメガネのフレームが上げられることができる。これにより、着用者の鼻面の肌が押さえられることを防止することができる。また国防、探査など特殊目的用メガネによってメガネの重さが相対的に重くても、着用者がメガネを着用した時、メガネの鼻パッドが鼻面の肌に触れないように所定間隔離隔させることができる。
【００２８】
＜第二実施例＞  
以下で添付された図７〜図１１を参照して本発明の第二実施例によるメガネのテンプル支持具の構成及び動作を詳しく説明する。
【００２９】
図７は本発明の第二実施例によるメガネのテンプル支持具の平面図であり、図８は本発明の第二実施例によるメガネのテンプル支持具の側面図であり、図９は本発明の第二実施例によるメガネのテンプル支持具の斜視図であり、図１０は本発明の第二実施例によるメガネのテンプル支持具の斜視図である。
【００３０】
図７〜図１１によれば、本発明の第二実施例によるメガネのテンプル支持具は、着用者の頭皮と耳殻の境界を成す谷部の中で上部谷にかけられる一対の三日月形状の本体部２１０と、着用者の耳殻と触れる本体部２１０の外側面に一体型に突出して形成される固定用突起２３０と、本体部２１０の内部に長手方向に形成された直線形の貫通溝２２０と、貫通溝２２０の上端部に対応する本体部２１０に形成された切開線２４０とで構成される。
【００３１】
また、一対の本体部２１０の内側面または底面、または内側面と底面に同時に着用者の頭皮への押さえを防止するための複数の突起（図示しない）が突出して形成されることができる。
【００３２】
また、一対の本体部２１０の下端部２１０ｃは中間部２１０ｂに比べて相対的に細く形成され、下端の末端部にアクセサリー挿入用孔２５０が貫通して形成されることができる。
【００３３】
また、一対の本体部２１０の直径は上端部２１０ａから中間部２１０ｂに行くほど相対的に大きくなりながら、本体部２１０の上端部２１０ａに等倍区間が所定長さで形成される。ここで、一対の本体部２１０の内部に貫通して形成された貫通溝２２０は外皮を取り除く必要のないメガネのテンプルを使用するのに適合し、この時、本体部２１０の上端部に形成された切開線２４０は貫通溝２２０に貫通して挿入されたメガネのテンプルが抜け出てもメガネのテンプルを安全に支持して位置させることができる。
【００３４】
また、一対の本体部２１０の上端末端部には本体部２１０が上部谷に位置した耳殻にかけられるようにフック形状の湾曲部２６０が形成されることが好ましい。
【００３５】
一対の本体部２１０は一対の本体部２１０の上端部２１０ａから下端部２１０ｃまで垂直中心線を基準に、左右非対称形状に形成されることが好ましい。
【００３６】
また、一対の本体部２１０に形成された切開線２４０が、図１１（ａ）及び（ｂ）に示すように、一対の本体部２１０の上端切開線２４０の中間部に「Ω」形状２４０ａまたはジグザグ形状２４０ｂで形成されることができる。
【００３７】
以下で添付された図７〜図１１を参照して本発明の第二実施例によるメガネのテンプル支持具の使用動作を説明する。
【００３８】
まず、図７に示すように、着用者はメガネのテンプルを一対の貫通溝２２０に挿入する。この時、メガネのテンプルの太さが太くても一対の貫通溝２２０に挿入可能である。
【００３９】
次に、着用者の耳の後ろ部分に形成された溝形状に合わせて固定突起２３０を位置させ、湾曲部２６０を着用者の上部谷に位置した耳殻にかかるように位置させる。
【００４０】
それにより、第一実施例の結果と同じく着用者が着用したメガネのテンプルが一対の貫通溝２２０にそれぞれ挿入及び安定的に位置されて、結局、従来の場合と相異してメガネのフレームが持ち上げられることができる。これにより、着用者の鼻面の肌が押さえられることを防止することができる。また、着用者がメガネのフレームの太さがそれぞれ異なるメガネのテンプルを所持していても着用可能である。
【００４１】
本明細書と図面に開示された本発明の実施例は、本発明を理解するために特定例を提示したものであり、本発明の範囲を限定するものではない。ここに開示された実施例の他にも本発明の技術的思想に基づいた他の変形例が実施可能であることは本発明が属する技術分野において通常の知識を有する者にとって自明である。
【符号の説明】
【００４２】
１００，１１０，２１０      本体部
１１０ｂ                    中間部
１１０ｃ                    下端部
１１１，１１３              突起
１２０                      テンプル挿入溝、貫通溝
１２０a                     S字溝
１２０b                     ジグザグ溝
１３０                      固定用突起
１４０                      湾曲部
１５０                      アクセサリー孔
２２０                      貫通溝
２３０                      固定用突起
２４０                      切開線
２６０                      湾曲部
【図１】
2016503907.tif 000003
【図２】
2016503907.tif 000004
【図３】
2016503907.tif 000005
【図４】
2016503907.tif 000006
【図５】
2016503907.tif 000007
【図６】
2016503907.tif 000008
【図７】
2016503907.tif 000009
【図８】
2016503907.tif 000010
【図９】
2016503907.tif 000011
【図１０】
2016503907.tif 000012
【図１１】
2016503907.tif 000013
【国際調査報告】
2016503907.tif 000014
2016503907.tif 000015
2016503907.tif 000016
2016503907.tif 000017